(57)【要約】【課題】ドレン管６がその室外側が高くなる逆勾配で配管されることを防止する。【解決手段】室内機に接続されたドレン管６は壁３に設けた貫通スリーブ８を通して外部に引き出される。貫通スリーブ８の室内側の開口部８ａに設けた開口キャップ取付け用の円筒体１１に、ドレン管保持部材１５を取り付ける。ドレン管保持部材１５は、ドレン管に被せられて当該ドレン管を直線状に保持する保持パイプ１６と、円筒体１１の奥端側における円筒体外面と貫通スリーブ８の内面と間の隙間ｃに差し込まれる薄板部１７ａとを備えており、薄板部１７ａを介して貫通スリーブ側に固定される。図示例では保持パイプ１６に取り付けられる別部材のクリップ１７に薄板部１７ａが形成されている。ドレン管６がその室外側が高くなる湾曲状態（すなわち逆勾配）で配管されることは防止され、ドレンが排水されずに水漏れが生じることを防止できる。【選択図】図２
2013139979.tif 000002
【特許請求の範囲】
【請求項１】
建物の壁の室内側の面に取り付けられた室内機に接続されたドレン管が、前記壁に設けた貫通スリーブを通して外部に引き出されるとともに、前記貫通スリーブの少なくとも室内側の開口部に、室内側から貫通スリーブの途中まで嵌合する開口キャップ取付け用の円筒体を備えた空気調和機におけるドレン管保持構造であって、
前記貫通スリーブ内に、ドレン管を直線状に保持するためのドレン管保持部材を配置してなり、前記ドレン管保持部材は、ドレン管に被せられて当該ドレン管を直線状に保持する保持パイプと、この保持パイプの外面に設けられた、前記円筒体の奥端側における円筒体外面と前記貫通スリーブの内面と間の隙間ｃに差し込まれる薄板部とを備えて、前記薄板部を介して貫通スリーブ側に固定されることを特徴とする空気調和機におけるドレン管保持構造。
【請求項２】
前記ドレン管保持部材は、ドレン管に被せられて当該ドレン管を直線状に保持する保持パイプに、前記薄板部を有する別部材のクリップを取り付けてなり、
前記クリップは、前記円筒体の外面に概ね沿う直線状部と前記直線状部の一端側で折り返された薄板部としての第１折返し部と前記直線状部の他端側で逆向きに折り返された第２折返し部とを有して扁平な略Ｓ字形をなし、
前記第２折返し部と前記直線状部とで保持パイプの円筒体入口側部分が挟持され、前記円筒体の奥端側における円筒体外面と前記貫通スリーブ内面と間の隙間に差し込まれた前記第１折り返し部を介して貫通スリーブ側に固定されていることを特徴とする請求項１記載の空気調和機におけるドレン管保持構造。
【請求項３】
前記ドレン管保持部材は、前記薄板部を保持パイプの外面に保持パイプと一体に設けたことを特徴とする請求項１記載の空気調和機におけるドレン管保持構造。
【請求項４】
前記ドレン管保持部材は、保持パイプとなる金属パイプから作製され、前記薄板部は、前記金属パイプの中間部に、金属パイプ長手方向に細長いコ字形の切り込み又は中間部からパイプ端縁まで達する平行な２本の切り込みを入れ、かつその切込領域をパイプ半径外側に折り返して形成されたものであることを特徴とする請求項３記載の空気調和機におけるドレン管保持構造。
【請求項５】
前記ドレン管保持部材は、金属板を用いて作製されるもので、その金属板は、円筒状に湾曲させた時に貫通スリーブ内面に嵌合する直径となる寸法の第１辺と保持パイプ長さ寸法の第２辺とを有する矩形の金属板であり、この矩形の金属板における前記第２辺から薄板部幅寸法だけ離れた位置で第２辺と平行な切り込みを薄板部長さに概ね相当する長さまで入れ、切り込み線の奥側において、前記切り込み線と第２辺との間の切込領域を保持パイプ外面となる側に折り返して前記薄板部となる部分を形成し、かつ、金属板をパイプ状に湾曲させ閉じ合せてなることを特徴とする請求項３記載の空気調和機におけるドレン管保持構造。
【請求項６】
前記円筒体を前記貫通スリーブの室内側の開口部及び室外側の開口部の両方に備え、両開口部においてそれぞれ、ドレン管を直線状に保持するためのドレン管保持部材が設けられていることを特徴とする請求項１〜５のいずれか１項に記載の空気調和機におけるドレン管保持構造。
【請求項７】
前記ドレン管保持部材は、保持パイプが室外側に向かって下降する傾斜状態で貫通スリーブ側に固定されていることを特徴とする請求項１〜６のいずれか１項に記載の空気調和機におけるドレン管保持構造。
【請求項８】
建物の壁の室内側の面に取り付けられた室内機に接続されたドレン管が、前記壁に設けた貫通スリーブを通して外部に引き出されるとともに、前記貫通スリーブの少なくとも室内側の開口部に、室内側から貫通スリーブの途中まで嵌合する開口キャップ取付け用の円筒体を設けた空気調和機における前記ドレン管の貫通スリーブ部分を保持するドレン管保持部材であって、
ドレン管に被せられて当該ドレン管を直線状に保持する保持パイプと、この保持パイプの外面に設けられた、前記円筒体の奥端側における円筒体外面と前記貫通スリーブ内面と間の隙間に差し込まれる薄板部とを備えて、前記薄板部を介して貫通スリーブ側に固定されることを特徴とする空気調和機におけるドレン管保持部材。
【請求項９】
建物の壁を施工するに際して、壁に設けた空気調和機用の貫通スリーブ内に請求項８のドレン管保持部材を予め取り付けておくことを特徴とする建物壁の施工方法。
【発明の詳細な説明】
【技術分野】
【０００１】
この発明は、空気調和機においてドレン管からの水漏れを有効に防止することを可能にするドレン管保持構造、及びドレン管用保持部材、及び建物壁の施工方法に関する。
【背景技術】
【０００２】
建物の空気調和機は一般に、図１１（イ）に示すように、空気調和機１の室内機２を建物の壁３の室内側（図１１（イ）で右側）の壁面に取り付け、図示略の室外機を室外に設置する。室内機２の内部には、熱交換器５１や送風ファン５２などが設けられ、熱交換器の部分で発生する凝縮水はドレンパン（受皿）４で受け、その底部にドレン管接続部を介して接続されたドレン管(排水パイプ)６により外部に排出される。ドレン管６及び図示略の２本の冷媒管は、壁３に設けた貫通穴３ａから外部に出される。５３は送風ガイド、５４は送風口である（特許文献１における従来例である図７参照（但し、左右反転して示している））。
室内機が貫通穴３ａより上方に取り付けられて、貫通穴３ａが室内から見える場合もあるが、主として美観上の理由で、図１１（ロ）にも示すように、貫通穴３ａの部分が室内から見えないように室内機２が貫通穴３ａを覆うように取り付けられることも多く行なわれている。
【０００３】
前記ドレン管６は通常、単に壁３の外に出すだけでなく外壁面に固定される。ドレン管６は通常保温材で被覆されており一定の剛性があるので、また、室内機２の背面に貫通穴３ａが設置されていて空間的な余裕が少ないので、貫通穴３ａの室外側の開口端の部分でシャープな直角に曲がることはなくある程度の曲率で湾曲し、図示のように室外側が高くなる湾曲状態（Ａで示す部分）で配管されることがある。
すなわち、ドレンの室内側から室外側へと流れる流れからみると逆勾配となることがある。この場合、室内機内で発生した凝縮水が排出されずにドレンパン４で溜まり、オーバーフローレベルを超えてオーバーフローし水漏れすることがある。ドレンパン４から漏れた水は送風ファン５２の風で送風口５４から散布される。
また、オーバーフローしない場合でも、ドレンパン４における溜まり量が多いと、ドレンパン４内の水が送風ファン５２の風で送風口５４から散布される場合もある。
【０００４】
特許文献１の発明自体は、上記のようにドレン管６が貫通穴３ａ内で逆勾配（ないしトラップ状態）になり排水不良となる問題を解決しようとするもので、ドレン管を、図１２に示すように、開口端で大きく湾曲せずに直角に曲がった状態で拘束できるホース形状矯正具５５で外壁面に固定するというものである。
前記ホース形状矯正具５５は、互いに略直角に折曲された第１の基片５６及び第２の基片５７のそれぞれに、ドレン管６を挟持するＣ字状断面の突片５８、５９を設けた構成であり、第２の基片５７を外壁面にネジ等で固定する。こうしてドレン管６を、室外側開口端においてホース形状矯正具５５で強制的に直角に折曲し外壁面に沿わせることで、逆勾配になることを防止する（特許文献１の図１、図２参照）。
【先行技術文献】
【特許文献】
【０００５】
【特許文献１】特開２００５−３６９９６
【発明の概要】
【発明が解決しようとする課題】
【０００６】
従来の一般的な構造である、図１１のようにドレン管６を単に貫通穴３ａに通すだけのものでは、前述の通りドレン管６が貫通穴３ａ内で逆勾配になって排水不良となり、水漏れが生じる恐れがある。
【０００７】
一方、図１２のようなホース形状矯正具５５を用いる構造では、ドレン管６が逆勾配になるのを防止できるが、ドレン管６を室外側開口端において強制的に直角に折曲して外壁面に沿わせるので、ドレン管６に無理な力が作用する恐れがある。
また、ホース形状矯正具５５を壁３に固定する手段はネジ等によるが、ホース形状矯正具５５をネジで壁に固定する作業が若干煩雑と言える。
また、ホース形状矯正具５５を、ドレン管６のサイズや壁の構造等に拘わらずに、ドレン管６を直角に折曲して適切に保持し得る適切な形状寸法とすることが必ずしも簡単とは言い難い。
また、ホース形状矯正具５５の取り付け位置を適切にすることが困難という程ではないにしても、やはりホース形状矯正具５５の取り付け位置は、ある程度慎重に定める必要がある。
【０００８】
本発明は上記従来の欠点を解消するためになされたもので、ドレン管が貫通スリーブ内で逆勾配になって水漏れが生じることを防止することができ、そのためにドレン管に無理な力が作用することがなく、ドレン管のサイズや壁の構造等に拘わらずに適切な逆勾配防止を図ることができ、さらに、逆勾配防止を図るための作業が極めて容易な空気調和機におけるドレン管保持構造、及びドレン管用保持部材、及び建物壁の施工方法を提供することを目的とする。
【課題を解決するための手段】
【０００９】
上記課題を解決するための請求項１の発明は、建物の壁の室内側の面に取り付けられた室内機に接続されたドレン管が、前記壁に設けた貫通スリーブを通して外部に引き出されるとともに、前記貫通スリーブの少なくとも室内側の開口部に、室内側から貫通スリーブの途中まで嵌合する開口キャップ取付け用の円筒体を備えた空気調和機におけるドレン管保持構造であって、
前記貫通スリーブ内に、ドレン管を直線状に保持するためのドレン管保持部材を配置してなり、前記ドレン管保持部材は、ドレン管に被せられて当該ドレン管を直線状に保持する保持パイプと、この保持パイプの外面に設けられた、前記円筒体の奥端側における円筒体外面と前記貫通スリーブの内面と間の隙間ｃに差し込まれる薄板部とを備えて、前記薄板部を介して貫通スリーブ側に固定されることを特徴とする。
【００１０】
請求項２は請求項１のドレン管保持構造において、前記ドレン管保持部材は、ドレン管に被せられて当該ドレン管を直線状に保持する保持パイプに、前記薄板部を有する別部材のクリップを取り付けてなり、
前記クリップは、前記円筒体の外面に概ね沿う直線状部と前記直線状部の一端側で折り返された薄板部としての第１折返し部と前記直線状部の他端側で逆向きに折り返された第２折返し部とを有して扁平な略Ｓ字形をなし、
前記第２折返し部と前記直線状部とで保持パイプの円筒体入口側部分が挟持され、前記円筒体の奥端側における円筒体外面と前記貫通スリーブ内面と間の隙間に差し込まれた前記第１折り返し部を介して貫通スリーブ側に固定されていることを特徴とする。
【００１１】
請求項３は請求項１のドレン管保持構造において、前記ドレン管保持部材は、前記薄板部を保持パイプの外面に保持パイプと一体に設けたことを特徴とする。
【００１２】
請求項４は請求項３のドレン管保持構造において、前記ドレン管保持部材は、保持パイプとなる金属パイプから作製され、前記薄板部は、前記金属パイプの中間部に、金属パイプ長手方向に細長いコ字形の切り込み又は中間部からパイプ端縁まで達する平行な２本の切り込みを入れ、かつその切込領域をパイプ半径外側に折り返して形成されたものであることを特徴とする。
請求項５は請求項３のドレン管保持構造において、前記ドレン管保持部材は、金属板を用いて作製されるもので、その金属板は、円筒状に湾曲させた時に貫通スリーブ内面に嵌合する直径となる寸法の第１辺と保持パイプ長さ寸法の第２辺とを有する矩形の金属板であり、この矩形の金属板における前記第２辺から薄板部幅寸法だけ離れた位置で第２辺と平行な切り込みを薄板部長さに概ね相当する長さまで入れ、切り込み線の奥側において、前記切り込み線と第２辺との間の切込領域を保持パイプ外面となる側に折り返して前記薄板部となる部分を形成し、かつ、金属板をパイプ状に湾曲させ閉じ合せてなることを特徴とする。
【００１３】
請求項６は請求項１〜５のいずれか１項のドレン管保持構造において、前記円筒体を前記貫通スリーブの室内側の開口部及び室外側の開口部の両方に備え、両開口部においてそれぞれ、ドレン管を直線状に保持するためのドレン管保持部材が設けられていることを特徴とする。
請求項７は請求項１〜６のいずれか１項のドレン管保持構造において、前記ドレン管保持部材は、保持パイプが室外側に向かって下降する傾斜状態で貫通スリーブ側に固定されていることを特徴とする。
【００１４】
請求項８の発明は、建物の壁の室内側の面に取り付けられた室内機に接続されたドレン管が、前記壁に設けた貫通スリーブを通して外部に引き出されるとともに、前記貫通スリーブの少なくとも室内側の開口部に、室内側から貫通スリーブの途中まで嵌合する開口キャップ取付け用の円筒体を設けた空気調和機における前記ドレン管の貫通スリーブ部分を保持するドレン管保持部材であって、
ドレン管に被せられて当該ドレン管を直線状に保持する保持パイプと、この保持パイプの外面に設けられた、前記円筒体の奥端側における円筒体外面と前記貫通スリーブ内面と間の隙間に差し込まれる薄板部とを備えて、前記薄板部を介して貫通スリーブ側に固定されることを特徴とする。
【００１５】
請求項９の発明の建物壁の施工方法は、建物の壁を施工するに際して、壁に設けた空気調和機用の貫通スリーブ内に請求項８のドレン管保持部材を予め取り付けておくことを特徴とする。
【発明の効果】
【００１６】
本発明によれば、貫通スリーブ内に固定されたドレン管保持部材の保持パイプがドレン管を直線状態に保持するので、貫通スリーブ内でドレン管が湾曲して逆勾配となることは防止される。したがって、室内機内で発生した凝縮水が排出されずにドレンパンに過剰に溜まることは防止され、それに伴う水漏れが発生することを防止できる。
また、貫通スリーブ内のドレン管保持部材の保持パイプがドレン管の湾曲を防止することで、逆勾配になることを防止するのであるから、ドレン管を室外側開口端において強制的に直角に折曲して外壁面に沿わせるホース形状矯正具の場合と異なり、室外側開口端で急激に直角に曲げられることはなく、ドレン管に無理な力が作用することはない。
また、ドレン管保持部材は、保持パイプの外面に設けた薄板部を単に、開口キャップ取付用の円筒体の奥端側における円筒体外面と貫通スリーブ内面と間の隙間に差し込むことで貫通スリーブ内に固定できるので、ネジで壁に固定するもの等と比べて、部材の取り付け作業が容易である。
また、ドレン管保持部材の固定手段は、一般に壁の施工時に貫通スリーブに装着されている開口キャップ取付け用の円筒体を利用するものであり、ネジ等の別部材を用いる必要がないので、その点でも施工性が良好である。
また、貫通スリーブ内でドレン管を直線状に保持する部分は、ホース形状矯正具のような特殊な形状のものではなく、単なるパイプ（保持パイプ）でありドレン管の管径に合せた径のパイプとすれば済むので、複雑な形状のホース形状矯正具と異なり、ドレン管の逆勾配防止を図るために適切な形状寸法とすることは極めて簡単である。また、ドレン管保持部材が単に貫通スリーブ内に配置・固定されていればよいので、ホース形状矯正具のように、その取り付け位置をある程度慎重に定める必要があるものと比較して、施工が極めて容易である。
【００１７】
請求項２によれば、ドレン管を直接保持する部分（保持パイプ）が単なるパイプであり、これをクリップという簡単な部品で貫通スリーブに取り付けることができるので、極めて簡便である。
請求項５によれば、ドレン管保持部材を単なる矩形の金属板を素材とする簡単な加工で作製できるので、極めて簡単かつ安価に作製できる。
請求項６によれば、ドレン管が、貫通スリーブの両側の開口部においてそれぞれドレン管保持部材で保持されるので、ドレン管を直線状に保持する効果が高い。
請求項７によれば、ドレン管が室外側に向かって下降する傾斜状態（すなわち順勾配）で保持されるので、凝縮水の流れがスムーズになり、排出不良となることを一層確実に防止できる。
【００１８】
請求項９のように、建物の貫通スリーブを有する壁を施工する際に、貫通スリーブに本発明のドレン管保持部材を取り付けておけば、空気調和機の設置業者は、ドレン管が湾曲して逆勾配となることを防止するために、単にそのドレン管保持部材を利用すれば済み、特別な準備をしておく必要がないので、施工性は極めて良好である。
【図面の簡単な説明】
【００１９】
【図１】本発明の一実施例の空気調和機におけるドレン管保持構造を示すもので、空気調和機の室内機、及び壁に設けた貫通スリーブの部分を断面で示した図である（但し、ハッチングは室内機２のハウジングを除き省略）。
【図２】（イ）は図１における貫通スリーブの部分を拡大した図、（ロ）は（イ）のＡ−Ａ断面図である。
【図３】図１、図２におけるドレン管保持部材を示すもので、（イ）は側面図、（ロ）は正面図（（イ）の右から見た図）である。
【図４】図２におけるドレン管保持部材のクリップ部分の近傍の拡大図である。
【図５】ドレン管保持部材の保持パイプを傾斜状態で保持するクリップの実施例を示す図で、図５に対応する図である。
【図６】ドレン管保持部材の保持パイプを傾斜状態で保持するクリップの他の実施例を示す図で、図５に対応する図である。
【図７】ドレン管保持部材の他の実施例を示すもので、（イ）は側面断面図、（ロ）は正面図（（イ）の右から見た図）である。
【図８】ドレン管保持部材のさらに他の実施例を示すもので、（イ）はドレン管保持部材の斜視図、（ロ）は（イ）のドレン管保持部材を作製する素材である矩形金属板の平面図、（ハ）は作製する工程の途中状態を示す斜視図である。
【図９】ドレン管保持部材を貫通スリーブの室内側開口部及び室外側開口部の両方に設ける実施例を示すもので、図１に対応する図である。
【図１０】（イ）は図９におけるドレン管保持部材の側面図、（ロ）は正面図（（イ）の右から見た図）である。
【図１１】（イ）は従来例としての一般的な空気調和機におけるドレン管保持構造についての問題点を説明する図、（ロ）は壁にあけた貫通穴の位置を説明する図である。
【図１２】図１１で説明した問題点を改善する特許文献１の構造を説明する図である。
【発明を実施するための形態】
【００２０】
以下、本発明を実施した空気調和機におけるドレン管保持構造、及びドレン管保持部材について、図面を参照して説明する。
【実施例１】
【００２１】
図１（イ）は本発明の一実施例の空気調和機１におけるドレン管保持構造１０を示すもので、壁３に取り付けた室内機２は内部構造を省略してハウジングのみを断面で示し、ドレン管保持構造１０を設けた貫通スリーブ８の部分を断面で示している。
この空気調和機１は、ドレン管保持構造１０の部分を除けば概ね一般的な構造と言うことができ、室内機２を建物の壁３の室内側（図１で右側）の壁面に取り付け、図示略の室外機を室外に設置する。室内機２の内部には、図示は省略するが熱交換器や送風ファンなどが設けられ、熱交換器の部分で発生する凝縮水はドレンパン（受皿）４で受け、その底部にドレン管接続部５を介して接続された保温材付きのドレン管６により外部に排出される。ドレン管６及び図示略の２本の冷媒管は、壁３に設けた例えば樹脂製の前記貫通スリーブ８を通して外部に出される。Ｌはドレンパン４における凝縮水のオーバーフローレベルを示す。７は送風口である。
室内機２は図１１（ロ）で説明したものと同様に、貫通スリーブ８の部分が室内から見えないように室内機２が貫通スリーブ８を覆うように取り付けられている。
【００２２】
図示例の壁３は例えば、石膏ボード等による内装材３ａ、構造用合板３ｂ、３ｃ、断熱材３ｄ、空気層３ｅ、防火サイディング３ｆからなっている。
前記貫通スリーブ８は、壁穴（壁材３ａ、３ｂ、３ｃ、３ｆにあけた穴）に挿通されるとともに柱間で横方向に渡した上下の木材１２で挟持されて固定されている。
一般に、貫通スリーブ８の室内側開口８ａ及び室外側開口８ｂにはそれぞれ、空気調和機を設置しない時に開口８ａ、８ｂを塞ぐ開口キャップを取り付けるためのフランジ付きの円筒体１１が取り付けられている。前記円筒体１１は、室内側から又は室外側から貫通スリーブ８の途中まで嵌合する円筒部分１１ａと、開口端側のフランジ１１ｂとからなる。なお、前記開口キャップとフランジ付きの円筒体１１とを合せたものをスリーブ用キャップと称することも一般的である。
前記円筒体１１は一般に、壁の施工の際に、貫通スリーブ８の内面に取り外し可能な程度で接着剤で取り付けるか、あるいは、単に嵌合させている。
【００２３】
前記貫通スリーブ８内に、ドレン管６を直線状に保持するためのドレン管保持部材１５が配置されている。
前記ドレン管保持部材１５は、図２、図３に詳細を示すように、ドレン管６に被せられて当該ドレン管６を直線状に保持する保持パイプ１６と、この保持パイプ１６に取り付けられた別部材のクリップ１７とからなる。
【００２４】
実施例の保持パイプ１６は、例えば鋼板製、ステンレス製、あるいはアルミ製の丸パイプである。その内径は、ドレン管６の外径より若干大径であって、ドレン管６を無理なく挿通させることができるがドレン管６が保持パイプ１６内で傾くことなく保持パイプ１６と概ね平行に保持される寸法とする。保持パイプ１６は、ドレン管６を保持できる強度が確保される必要があるが、ドレン管６を保持できる強度が確保されれば樹脂製のパイプを用いることも考えられる。
【００２５】
前記クリップ１７は、例えば鋼板あるいはステンレス板を折曲してなり、図４にも拡大して示すように、前記円筒体１１の奥端側（スリーブ長手方向中央側）における円筒体外面１１ｃと前記貫通スリーブ８の内面８ａと間の隙間ｃに差し込まれる薄板部１７ａを有して扁平な略Ｓ字形をなしている。
すなわち、クリップ１７は、円筒体１１の内面１１ｄに沿う直線状部１７ｂと、前記直線状部１７ｂの一端側で折り返された薄板部としての第１折返し部１７ａと、前記直線状部１７ｂの他端側で逆向きに折り返された第２折返し部１７ｃとを有して扁平な略Ｓ字形をなしている。
このクリップ１７は、直線状部１７ｂと第２折返し部１７ｃとで保持パイプ１６の底部管壁１６ａを弾性的に挟持することで保持パイプ１６に固定されるとともに、薄板部（第１折返し部）１７ａを介して貫通スリーブ８側に固定されている。
【００２６】
クリップ１７が薄板部１７ａを介して貫通スリーブ８側に固定される固定作用としては２つの面がある。
第1に、薄板部１７ａと直線状部１７ｂとで円筒体１１の筒壁を弾性的に挟持する作用により、クリップ１７が円筒体１１に固定されて貫通スリーブ８側に固定される。
第２に、薄板部１７ａが、貫通スリーブ８と円筒体１１との間の狭い隙間ｃに緊密嵌合の態様で差し込まれ強く挟持されることで、円筒体１１側ないし貫通スリーブ８側に固定される。
したがって、薄板部１７ａが貫通スリーブ８と円筒体１１との間の狭い隙間ｃに緊密嵌合することで十分な固定力が得られれば、必ずしも薄板部１７ａと直線状部１７ｂとで円筒体１１を弾性的に挟持する構成としなくてもよい。
クリップ１７は、円筒体外面１１ｃと貫通スリーブ内面８ａと間の隙間ｃに差し込むことができる必要があるので、その板厚は１ｍｍ程度以下とするのが好ましい。
なお、クリップ１７の横断面形状として、図２（ロ）では第1折り返し部（薄板部）１７ａ、直線状部１７ｂ、第２折り返し部１７ｃをいずれも円弧状態で示し、一方、図３（ロ）では平坦状態で示しているが、装着前の横断面形状としては円弧断面あるいは平坦断面のいずれの場合も考えられる。設置状況に応じて必要があれば湾曲させて適切な円弧断面にするとよい。
【００２７】
上記のドレン管保持構造１０によれば、貫通スリーブ８内に固定されたドレン管保持部材１５の保持パイプ１６がドレン管６を直線状態に保持するので、貫通スリーブ８内でドレン管６が湾曲して逆勾配となることは防止される。したがって、室内機２内で発生した凝縮水が排出されずにドレンパン４に過剰に溜まることは防止される。凝縮水がオーバーフローレベルＬを超えてオーバーフローすると、オーバーフローした水は図示略の送風ファンの風で送風口７から散布されるが、そのような水漏れの問題は確実に防止される。また、オーバーフローしない場合でも、ドレンパン４における溜まり量が多いと、ドレンパン４内の水が送風ファンの風で送風口７から散布される場合もあるが、そのような問題も防止できる。
また、貫通スリーブ８内のドレン管保持部材１５の保持パイプ１６がドレン管６の湾曲を防止することで、逆勾配になることを防止するのであるから、ドレン管を室外側開口端において強制的に直角に折曲して外壁面に沿わせる図１２の従来のホース形状矯正具３５の場合と異なり、室外側開口端で急激に直角に曲げられることはなく、ドレン管６に無理な力が作用することはない。
また、ドレン管保持部材１５は、薄板部１７ａを単に、開口キャップ取付用の円筒体１１の奥端側における円筒体外面１１ｃと貫通スリーブ８の内面８ａと間の隙間ｃに差し込むことで貫通スリーブ内に固定できるので、ネジで壁に固定するもの等と比べて、部材の取り付け作業が容易である。
また、ドレン管保持部材１５の貫通スリーブ８への固定手段は、一般に壁の施工時に貫通スリーブに装着されている開口キャップ取付け用の円筒体１１を利用するものであり、ネジ等の別部材を用いる必要がないので、その点でも施工性が良好である。
また、貫通スリーブ８内でドレン管６を直線状に保持する部分は、単なるパイプ（保持パイプ１６）でありドレン管６の管径に合せた径のパイプを用いれば済むので、図１２の複雑な形状のホース形状矯正具と異なり、ドレン管の逆勾配防止を図るために適切な形状寸法とすることは極めて簡単である。
また、ドレン管保持部材１５が単に貫通スリーブ８内に配置・固定されていればよいので、従来のホース形状矯正具のように、その取り付け位置をある程度慎重に定める必要があるものと比較して、施工が極めて容易である。
【実施例２】
【００２８】
上述のドレン管保持部材１５は、ドレン管６が湾曲して逆勾配となることを防ぐために、ドレン管６を貫通スリーブ８と平行に保持しているが、図５や図６に示したドレン管保持部材１５’、１５”のように、ドレン管６を室外側に向かって下降するように（すなわち順勾配となるように）保持するものであると、凝縮水の流れがスムーズになり、排出不良となることを一層確実に防止できる。
図５、図６のドレン管保持部材１５’、１５”はいずれも、クリップ１７’、１７”が保持パイプ１６を、室外側に向かって下降する傾斜状態で保持する。
【００２９】
図５におけるクリップ１７’は、図４のクリップ１７における中間部（直線状部１７ｂ）を２箇所で折曲して、円筒体１１と平行な平行部１７ｂ１’と円筒体１１に対して傾斜した傾斜部１７ｂ２’とを有する形状にしたものである。平行部１７ｂ１’と傾斜部１７ｂ２’と移行部１７ｂ３’とを含めて折曲中間部１７ｂ’と呼ぶ。
この場合、円筒体１１の奥端側の平行部１７ｂ１’は円筒体１１を弾性的に挟持する作用をし、その反対側の傾斜部１７ｂ２’は保持パイプ１６を傾斜状態に保持する作用をする。
【００３０】
図６におけるクリップ１７”は、図４のクリップ１７における中間部（直線状部１７ｂ）の全体を傾斜させた（その部分を傾斜直線状部１７ｂ”と呼ぶ）ものである。
この場合、薄板部１７ａ”と傾斜直線状部１７ｂ”とが円筒体１１の奥端側を挟持する作用はあまりなく、薄板部１７ａ”が、貫通スリーブ８と円筒体１１との間の狭い隙間ｃに緊密嵌合していることで、円筒体１１側ないし貫通スリーブ８側に固定される。
【実施例３】
【００３１】
図７にドレン管保持部材のさらに他の実施例を示す。
このドレン管保持部材２５は、薄板部２７を保持パイプ２６の外面に保持パイプ２６と一体に設けた構造である。
このドレン管保持部材２５は、保持パイプ２６となる金属パイプから作製され、薄板部２７は、素材の金属パイプ２６（保持パイプと同じ符号で示す）の中間部からパイプ端縁まで達する平行な２本の切り込みを入れ、かつその切込領域をパイプ半径外側に折り返して形成される。２６ａは折り返された切込領域（薄板部２７）があった空虚部を示す。
【００３２】
図示例の薄板部２７は、パイプ端縁に達する平行な２本の切り込みによる切込領域を折り返して形成しているが、素材の金属パイプの中間部に金属パイプ長手方向に細長いコ字形の切り込み（パイプ端縁まで達しない切り込み）を入れ、かつその切込領域をパイプ半径外側に折り返して形成してもよい。
【実施例４】
【００３３】
図８（イ）にさらに他の実施例のドレン管保持部材３５を斜視図で示す。
このドレン管保持部材３５も、薄板部３７を保持パイプ３６の外面に保持パイプ３６と一体に設けた構造である。
このドレン管保持部材３５は、鋼板、アテンレス板、アルミ板等の図８（ロ）に示すような矩形の１枚の金属板３８を用いて作製される。
この金属板３８は、これを円筒状に湾曲させた時に保持パイプ３６の直径となる寸法の第１辺３８ａと、保持パイプ３６の長さ寸法の第２辺３８ｂとを有する矩形の金属板であり、この矩形の金属板３８における前記第２辺３８ｂから薄板部３７の幅寸法Ｗだけ離れた位置で第２辺３８ｂと平行な切り込み３８ｃを薄板部３７の長さに概ね相当する長さＬまで入れ、前記切り込み線３８ｃと第２辺３８ｂとの間の切込領域Ｓを、保持パイプ３６の外面となる側に図８（ハ）のように折り返して前記薄板部となる部分３７を形成し、かつ、金属板３８を円筒状に湾曲させ、端縁どうしを溶接その他の手段で閉じ合せることで、ドレン管保持部材３５が作製される。
【００３４】
このドレン管保持部材３５によれば、単なる矩形の金属板３８を素材として、切り込み、折り返し、湾曲、閉じ合せという簡単な加工で作製できるので、極めて簡単かつ安価に作製できる。
【実施例５】
【００３５】
図９に本発明のドレン管保持構造の他の実施例を示す。
このドレン管保持構造１０Ａは、貫通スリーブ８の室内側の開口部８ａ及び室外側の開口部８ｂにそれぞれに設けられた両側の円筒体１１にそれぞれ、ドレン管６を直線状に保持するためのドレン管保持部材１５Ａを設けるものである。
各ドレン管保持部材１５Ａは、図１の実施例のドレン管保持部材１５と同様に、保持パイプ１６Ａとクリップ１７Ａとからなるが、保持パイプ１６Ａは図１０にも示すように、長さが図１の保持パイプ１６と比べて短い。クリップ１７Ａは基本的に図１のクリップ１７と同じ構造でよいが、必要に応じて長さは短くする。
【００３６】
このドレン管保持構造１０Ａによれば、貫通スリーブ８の両側の開口部８ａ、８ｂにおいてそれぞれドレン管保持部材１５Ａでドレン管６を保持するので、ドレン管６を直線状に保持する効果が高くなる。
ドレン管保持部材を貫通スリーブ８の両側に設ける場合において、保持パイプを貫通スリーブ８側に固定するための薄板部を設ける手段は、クリップに限らず、図７や図８の実施例と同様な手段、その他の手段を採用できる。
【符号の説明】
【００３７】
１  空気調和機
２  室内機
３  壁
４  ドレンパン
５  ドレン管接続部
６  ドレン管
７  送風口
８  貫通スリーブ
８ａ  （貫通スリーブ８の）室内側開口
８ｂ  （貫通スリーブ８の）室外側開口
１１  （開口キャップ取付け用の）円筒体
１１ａ  円筒部分
１１ｂ  フランジ
１１ｃ  円筒体外面
ｃ  隙間
１５、１５’、１５”、１５Ａ、２５、３５  ドレン管保持部材
１６、１６Ａ、２６、３６  保持パイプ
１６ａ  底部管壁
１７、１７’、１７”、１７Ａ  クリップ
１７ａ、１７ａ’、１７ａ”  薄板部（第１折返し部）
１７ｂ  直線状部
１７ｃ、１７ｃ’、１７ｃ”  第２折返し部
２７、３７  薄板部
３８  矩形金属板
３８ａ  （矩形金属板の）第１辺
３８ｂ  （矩形金属板の）第２辺
３８ｃ  切り込み
Ｓ  切込領域
【図１】
2013139979.tif 000003
【図２】
2013139979.tif 000004
【図３】
2013139979.tif 000005
【図４】
2013139979.tif 000006
【図５】
2013139979.tif 000007
【図６】
2013139979.tif 000008
【図７】
2013139979.tif 000009
【図８】
2013139979.tif 000010
【図９】
2013139979.tif 000011
【図１０】
2013139979.tif 000012
【図１１】
2013139979.tif 000013
【図１２】
2013139979.tif 000014